(57)【要約】【課題】納骨室への採光及び換気を何時でも必要に応じて行うことができるばかりでなく、霊廟の美観を高め、既設の霊廟にも取り付けることができ、施主の物故者を慈しむ心情を表現できる納骨室の扉を提供する。【解決手段】片開き扉部の窓口３を構成する基枠７に取手４が設けられた窓枠２を支軸６でもって開閉自在に取り付ける。この窓枠２は閉状態で基枠７に嵌合される固定用石ビス５によって封止されている。窓枠２の内周縁に沿って矩形の嵌合凹所２ａを設け、ガラス板（透光板）１を着脱自在に嵌め込む。ガラス板１には思い出の言葉を表す文章や家紋などの図形、装飾文様１ａをエッチング加工により描出する。【選択図】  図３
2007270522.tif 000002
【特許請求の範囲】
【請求項１】
霊廟に設けられた納骨室の開口を開閉する扉であって、該扉に窓口を設けると共に透光板を着脱自在に嵌め込み固定したことを特徴とする納骨室の扉。
【請求項２】
透光板にエッチング加工を施し、文字、図柄、装飾文様を描出したことを特徴とする請求項１記載の納骨室の扉。
【発明の詳細な説明】
【技術分野】
【０００１】
本発明は、霊廟の納骨室に関するものであり、特にその扉の構造に関するものである。
【背景技術】
【０００２】
従来から墓所に設置される霊廟の納骨室内部の換気や清掃を行うために、納骨室内部に通じる開口を設け、この開口に扉を取付けたものがある。
【０００３】
一般的に納骨室内は結露等により湿度が高く、空気が淀み雑菌の繁殖等により異臭が発生する。また、蚊やムカデなどの害虫が発生する温床となる。
【０００４】
また、通常、納骨室内は納骨時や改修工事等以外は覗き見ることも無く、納骨後は密閉され暗くなってしまう。このため、遺族など墓参する者は、物故者の居所に閉塞感を感じ、精神的な安堵感が得られないという問題もあった。
【０００５】
そこで、従来の納骨室の改善策として、例えば、納骨室の出入口扉に透明厚板ガラスを使用したもの（特許文献１参照）や、納骨室を構成するコンクリートや石材に穴開け加工し、窓体となすガラス製品を組み込み太陽の光を採り入れるようにしたもの（特許文献２参照）等が提案されている。
【０００６】
【特許文献１】特開平１０−８８８６６号公報
【特許文献２】特開２００２−１０６２０９号公報
【発明の開示】
【発明が解決しようとする課題】
【０００７】
本発明もまた上記のような問題点に鑑み、納骨室内部は、暗い、汚い、臭いという印象を払拭させ、物故者も清潔な場所で陽に当り、風の通る快適な環境に居させてやりたいという遺族の心情にも配慮して創出されたものであり、納骨室への採光及び換気を何時でも必要に応じて行うことができるばかりでなく、霊廟の美観を高め、既設の霊廟にも取り付けることができ、施主の物故者を慈しむ心情を表現できる納骨室の扉を提供することを目的とする。
【課題を解決するための手段】
【０００８】
そこで、本発明の納骨室の扉は、霊廟に設けられた納骨室の開口を開閉する扉であって、該扉に窓口を設けると共に透光板を着脱自在に嵌め込み固定したことを第１の特徴とする。また、透光板にエッチング加工を施し、文字、図柄、装飾文様を描出したことを第２の特徴とする。
【発明の効果】
【０００９】
本発明によれば、下記の優れた効果がある。
（１）納骨室内を明るくし、何時でも必要に応じて換気して除湿を行い衛生状態を良好にすることができる。
（２）霊廟の美観を高め、施主の物故者を慈しむ心情を表現できる。
（３）既設の霊廟にも取り付けることができる。
【発明を実施するための最良の形態】
【００１０】
以下に、本発明の実施の形態を図面に示す実施例に基づいて説明する。
図１は本発明に係る納骨室の扉の取付け例を説明する斜視図、図２は本発明に係る納骨室の扉の一実施例を示す斜視図、図３は本発明に係る納骨室の扉の一実施例を示す（ａ）は天枠を外した状態の平面図、（ｂ）は正面図、図４は本発明に係る納骨室の扉の一実施例を示す分解斜視図、図５は本発明に係る納骨室の扉の他の取付け例を説明する斜視図、図６は本発明に係る納骨室の扉の他の実施例を示す斜視図、図７は本発明に係る納骨室の扉の他の実施例を示す（ａ）は天枠を外した状態の平面図、（ｂ）は正面図、図８は本発明に係る納骨室の扉の他の実施例を示す分解斜視図である。
【実施例１】
【００１１】
以下、本発明に係る納骨室の扉の一実施例について説明する。図１において、８は霊廟、９は納骨室の開口を示し、７は納骨室の開口９に取付けられる扉部基枠を示す。尚、この扉部基枠７を納骨室の開口９に応じた形状及びサイズに作成すれば、既設の霊廟８にも容易に取り付けることができる。
【００１２】
図２に示すように、片開き扉部の窓口３を構成する天枠７ａ、右側枠７ｂ、左側枠７ｃ及び底枠７ｄとからなる基枠７には取手４が設けられた窓枠２が支軸６でもって開閉自在に取り付けられる。この窓枠２は閉状態で基枠７に嵌合される固定用石ビス５によって封止できるようにされている。
【００１３】
窓枠２には、その内周縁に沿って矩形の嵌合凹所２ａが設けられ、ガラス板（透光板）１を着脱自在に嵌め込むことができるようにされている。ここで、ガラス板１には、物故者の思い出の言葉を表す文章や家紋などの図柄、装飾文様１ａがエッチング加工により描出されている。尚、本実施例では透光板１としてガラス板を使用しているが、耐久性の高い透明なプラスチック板等でも良い。
【００１４】
このガラス板（透光板）１は着脱自在に取り付けられているので、施主の希望に応じて異なるデザインのものに何時でも交換することができる。そして、取り外したガラス板（透光板）１は、ガラス板単体で仏壇等に飾ることもできる。
【実施例２】
【００１５】
以下、本発明に係る納骨室の扉の他の実施例について説明する。尚、便宜上、実施例１と同様の構成要素には同一の符号を付して説明する。
【００１６】
図５において、８は霊廟、９は納骨室の開口を示し、７は納骨室の開口９に取付けられる扉部を示す。尚、この扉部７を納骨室の開口９に応じた形状及びサイズに作成すれば、既設の霊廟８にも容易に取り付けることができる。
【００１７】
図６に示すように、両開き扉部の窓口３を構成する天枠７ａ、右側枠７ｂ、左側枠７ｃ及び底枠７ｄとからなる基枠７には一対の窓枠２が２本の支軸６でもって左右に開閉自在に取り付けられる。この窓枠２は閉状態で基枠７に嵌合される固定用石ビス５によって封止できるようにされている。尚、この場合一方の窓枠２には取手４が枠と一体的に設けられる。
【００１８】
それぞれの窓枠２には、その内周縁に沿って矩形の嵌合凹所２ａが設けられ、ガラス板（透光板）１を着脱自在に嵌め込むことができるようにされている。ここで、ガラス板１には物故者の思い出の言葉を表す文章や家紋などの図柄、装飾文様１ａがエッチング加工により描出されている。尚、本実施例では透光板１としてガラス板を使用しているが、耐久性の高い透明なプラスチック板等でも良い。
【００１９】
このガラス板（透光板）１は着脱自在に取り付けられているので、施主の希望に応じて異なるデザインのものに何時でも交換することができる。そして、取り外したガラス板（透光板）１は、ガラス板単体で仏壇等に飾ることもできる。
【００２０】
以上の構成により、扉を開いて覗き込めば、納骨室内の状態を視認することができる。さらに窓口を通して換気が行われ遺骨の保存が良好に行われる。また、エッチング加工した透光板を用いることにより、扉を閉じた状態で納骨室内に太陽の光を採り入れることができるものの内部は視認できないという目隠し効果があり、プライバシー保護上の問題も解消できる。とくに、エッチングされた文章や文様は物故者とのつながりを感じ取れるシンボルとしても機能し、供養する者は精神的な安堵感が得られる。
【図面の簡単な説明】
【００２１】
【図１】本発明に係る納骨室の扉の取付け例を説明する斜視図である。
【図２】本発明に係る納骨室の扉の一実施例を示す斜視図である。
【図３】本発明に係る納骨室の扉の一実施例を示す（ａ）は天枠を外した状態の平面図、（ｂ）は平面図である。
【図４】本発明に係る納骨室の扉の一実施例を示す分解斜視図である。
【図５】本発明に係る納骨室の扉の他の取付け例を説明する斜視図である。
【図６】本発明に係る納骨室の扉の他の実施例を示す斜視図である。
【図７】本発明に係る納骨室の扉の他の実施例を示す（ａ）は天枠を外した状態の平面図、（ｂ）は正面図である。
【図８】本発明に係る納骨室の扉の他の実施例を示す分解斜視図である。
【符号の説明】
【００２２】
１      ガラス板（透光板）
１ａ    エッチング加工された文章や家紋などの図柄、装飾文様
２      窓枠
２ａ    嵌合凹所
３      窓口
４      取手
５      固定用石ビス
６      支軸
７      扉部基枠
８      霊廟
９      納骨室の開口
【図１】
2007270522.tif 000003
【図２】
2007270522.tif 000004
【図３】
2007270522.tif 000005
【図４】
2007270522.tif 000006
【図５】
2007270522.tif 000007
【図６】
2007270522.tif 000008
【図７】
2007270522.tif 000009
【図８】
2007270522.tif 000010